(57)【特許請求の範囲】
【請求項１】
一枚の箱体形成片から成り、この箱体形成片には開封位置である開封線が設けられ、前記開封線は、曲線で形成された所定形状の複数の切込線が任意の間隔で連続して形成されたものであり、
前記切込線は曲線で形成された円弧形のみで構成され、円周の半周を超える長さの、前記箱体形成片を切断した切り込みで形成され、前記円弧形の切込線の両端の間は、前記箱体形成片を切断せずに残した切り残し部であり、前記切り残し部は、円周の半周以下の長さであり、
円弧形の前記切込線は、前記開封線の仮想線上に円の中心が位置するように複数並べられており、
前記切り残し部は、互いに隣接する一対の円弧形の前記切込線同士が最も近接した位置から一方向に離れて設けられ、前記仮想線である前記開封線に沿う方向には、互いに隣接する前記切り残し部が連続して位置し、
前記開封線が切断される際、前記一対の前記円弧形の切込線同士が最も近接した部分が破断されて、円弧形の前記切込線が連続するように前記開封線で切断され、前記開封線が切断された側縁部には、円弧形の前記切込線の曲線で形成された凸部が連続して突出して形成され、円弧形の前記切込線の間の破断された部分は、一対の前記凸部の間の谷部に位置していることを特徴とする包装用箱。
【請求項２】
前記開封線は、互いに平行に連接され互いに折罫線で区切られて筒体に組み立てられた複数の側面に設けられ、前記開封線は、前記側面同士の間の角部では、角部の稜線である折罫線に交差する略直線の切断線が設けられている請求項１記載の包装用箱。
【請求項３】
前記開封線は一対設けられ、前記一対の開封線の間の部分は、開封するときに切り取られる切除部となり、前記一対の開封線の円弧形の前記切込線は、前記切り残し部が前記切除部の外側に位置し、前記切除部が取り外されて開封した後は、前記切除部が取り外された側縁部に前記切込線の曲線で形成された前記凸部が連続して形成される請求項１記載の包装用箱。
【請求項４】
互いに平行に連接された前記側面の一方の側縁部に連接され反対側に位置する前記側面の裏面に重ねて糊付けされ前記側面を筒体に組み立てる糊付片が設けられ、前記開封線は、前記糊付片が重ねられて糊付けされた前記側面の側縁部に達し、前記側縁部に達する部分が開封を始める端部となり、前記開封線には、任意の形状の複数個の開封用透孔が任意の間隔で連続して形成され、前記開封用透孔から前記糊付片が視認され、前記糊付片には前記糊付片が重ねられて糊付けされた前記側面とは異なる色や模様の印刷部が設けられている請求項２記載の包装用箱。
【発明の詳細な説明】
【技術分野】
【０００１】
この発明は、箱体の一部に開封するための開封線が設けられている包装用箱に関する。
【背景技術】
【０００２】
従来、収容物を収容して搬送し店頭に陳列するための包装用箱として、一枚のブランクシートから一体的に打ち抜かれた箱体形成片を立体的に組み立てたものであって、開封するために開封線が設けられている包装用箱がある。この開封線は、等間隔で切残部を介して切断部が並べられているミシン線やジッパー線といわれるものであり、ミシン線やジッパー線はいろいろな形状のものが考えられている。
【０００３】
例えば、特許文献１に開示されているジッパーつき紙箱及びジッパー加工用切り刃は、サインカーブ状をなす連続する波状の切れ目線で形成されている。特許文献２に開示されている紙器開封用ジッパーは、開封方向に沿って平行に同一位相で配置された二列の切れ目線からなるジッパーであって、切れ目線は曲線でもよいものである。特許文献３に開示されているカートン用ジッパーは、開封方向に沿って引き裂かれる方向に二列の切れ目線からなり、切れ目線には、不連続に設けられた主切れ目線と、主切れ目線に沿ってそれぞれが所定の幅で平行な線上に不連続に設けられた補助切れ目線とからなり、主切れ目線が、それぞれ二列に設けた前記切れ目線の外側方向に膨らむ略円弧状であり、補助切れ目線が、隣接する主切れ目線の先端間の近傍で、先端間を主切れ目線が略円弧状に膨らんだ方向とは逆の方向に所定の幅で平行に移動した位置に設けられている。特許文献４に開示されている両方向開封帯は、直線の切れ刃とＵ字状の切れ刃が、つなぎ部分を介して破線状に設けられている。
【先行技術文献】
【特許文献】
【０００４】
【特許文献１】特開平１０―８１３２６号公報
【特許文献２】特開２０１２−６２０８０号公報
【特許文献３】特許第４５３１５０６号公報
【特許文献４】実登第３０７９６４９号公報
【発明の概要】
【発明が解決しようとする課題】
【０００５】
上記背景技術の場合、いずれも開封線が閉じた切り込みであり細かく、見えにくいものであり、触っても分かりにくいものである。従って、視覚と触覚により分かりやすい開封線が求められている。また、開封するときに音が小さく、正確に開封されていることが分かりづらく、開封された切り口が鋭利になりけがをする恐れもある。
【０００６】
この発明は、上記背景技術の問題点に鑑みてなされたものであり、簡単な構造で視覚により開封線の位置がわかりやすく、容易に開封を認識することができる包装用箱を提供することを目的とする。
【課題を解決するための手段】
【０００７】
本発明は一枚の箱体形成片から成り、この箱体形成片には開封位置である開封線が設けられ、前記開封線は、曲線で形成された所定形状の複数の切込線が任意の間隔で連続して形成されたものであり、前記切込線は曲線で形成された円弧形のみで構成され、円周の半周を超える長さの、前記箱体形成片を切断した切り込みで形成され、前記円弧形の切込線の両端の間は、前記箱体形成片を切断せずに残した切り残し部であり、前記切り残し部は、円周の半周以下の長さであり、円弧形の前記切込線は、前記開封線の仮想線上に円の中心が位置するように複数並べられており、前記切り残し部は、互いに隣接する一対の円弧形の前記切込線同士が最も近接した位置から一方向に離れて設けられ、前記仮想線である前記開封線に沿う方向には、互いに隣接する前記切り残し部が連続して位置し、前記開封線が切断される際、前記一対の前記円弧形の切込線同士が最も近接した部分が破断されて、円弧形の前記切込線が連続するように前記開封線で切断され、前記開封線が切断された側縁部には、円弧形の前記切込線の曲線で形成された凸部が連続して突出して形成され、円弧形の前記切込線の間の破断された部分は、一対の前記凸部の間の谷部に位置している包装用箱である。
【０００８】
また、前記開封線は、互いに平行に連接され互いに折罫線で区切られて筒体に組み立てられた複数の側面に設けられ、前記開封線は、前記側面同士の間の角部では、角部の稜線である折罫線に交差する略直線の切断線が設けられている。
【０００９】
また、前記開封線は一対設けられ、前記一対の開封線の間の部分は、開封するときに切り取られる切除部となり、前記一対の開封線の円弧形の前記切込線は、前記切り残し部が前記切除部の外側に位置し、前記切除部が取り外されて開封した後は、前記切除部が取り外された側縁部に前記切込線の曲線で形成された前記凸部が連続して形成されるものである。
【００１０】
また、互いに平行に連接された前記側面の一方の側縁部に連接され反対側に位置する前記側面の裏面に重ねて糊付けされ前記側面を筒体に組み立てる糊付片が設けられ、前記開封線は、前記糊付片が重ねられて糊付けされた前記側面の側縁部に達し、前記側縁部に達する部分が開封を始める端部となり、前記開封線の開封を始める端部付近には、任意の形状の複数個の開封用透孔が任意の間隔で連続して形成され、前記開封用透孔から前記糊付片が視認され、前記糊付片には前記糊付片が重ねられて糊付けされた前記側面とは異なる色や模様の印刷部が設けられている。
【発明の効果】
【００１１】
本発明の包装用箱は、簡単な構造で視覚的に開封線の位置がわかりやすく、開封線を切断して確実に開封を確認することができる。従って、視力が低下した人にも簡単に開封することができる。また、開封時の音も大きく、聴覚的も確実に開封を認識することができる。さらに、開封線を切断した後は、箱体に切込線で形成された曲線が連続して形成されるため、手で触ってもけがをする恐れがなく、安全である。
【図面の簡単な説明】
【００１２】
【図１】この発明の一実施形態の包装用箱の斜視図である。
【図２】この実施形態の包装用箱の開封した状態を示す斜視図である。
【図３】この実施形態の包装用箱の展開図である
【発明を実施するための形態】
【００１３】
以下、この発明の実施形態について図面に基づいて説明する。図１〜図３はこの発明の一実施形態を示すもので、この実施形態の包装用箱１０は、紙製等の一枚のブランクシートを打ち抜いて形成された箱体形成片１２を組み立てて設けられている。
【００１４】
図３は、箱体形成片１２を表面から見た展開図であり、箱体形成片１２は、側面１４，１６，１８，２０が、互いに平行に連接して形成されている。側面１４，１６，１８，２０は、連接方向と直交する幅方向の長さは同じ長さであり、それと直交する連接方向の長さは、側面１６，２０が長くて互いに等しく、側面１４，１８が短くて互いにほぼ等しい。側面２０の側縁部には、包装用箱１０の組立状態で側面１４の裏面に糊付けされる糊付片２２が設けられている。糊付片２２は、側面１４とほぼ同じ大きさである。そして、側面１４，１６，１８，２０、糊付片２２は、各々折罫線２４，２６，２８，３０で区切られている。
【００１５】
側面１４の、側面同士の連接方向に対して直角な方向の両端部には、矩形のフラップ３２が折罫線３４で区切られて各々設けられている。側面１６の両端部には、包装用箱１０の組立状態で、側面１４，１６，１８，２０で組み立てられた筒体の端部を閉鎖する大きさの矩形の外蓋片３６が折罫線３８で区切られて各々設けられている。同様に側面１８の両端部には、矩形のフラップ４０が折罫線４２で区切られて各々設けられている。側面２０の両端部には、外蓋片３６よりも少し小さい矩形の内蓋片４４が折罫線４６で区切られて各々設けられている。
【００１６】
側面１４，１６，１８，２０には、側面同士の連接方向に対して平行な一対の開封線４８，５０が設けられている。開封線４８，５０は、側面１４の側縁部１４ａから側面２０の折罫線３０に達して、箱体形成片１２を横断するように設けられている。
【００１７】
一方の開封線５０は、各側面の連通方向と直交する幅のほぼ中心に設けられている。開封線５０の、側面１４の側縁部１４ａと交差する部分には、一定の幅のスリット５２が形成され、スリット５２は側縁部１４ａで開口し、スリット５２の、側縁部１４ａと反対側の端部は、側面１４の中心よりも側縁部１４ａに近い位置で止まっている。開封線５０の、スリット５２と折罫線２４までの間には、開封用透孔５４が３個並べられて互いに離間して設けられている。３個の開封用透孔５４は互いに相似形で、スリット５２から近いものがいちばん大きく、スリット５２から離れるに従い、徐々に小さくなっている。３個の開封用透孔５４の形状は円形であり、スリット５２と反対側の周縁部がわずかに三角状に突出した雨滴状の形状である。折罫線２４に最も近い開封用透孔５４の、三角状に突出した部分には、略直線の切断線５６がわずかな間隔をあけて設けられている。切断線５６は、折罫線２４に対して直角に交差して通過し、側面１６内に達している。
【００１８】
開封線５０は、側面１６内では、円弧形の切込線５８が複数個、所定の間隔で連続したものとなる。切込線５８は、小さい円形で円周の半周を超える長さの切り込みで互いに同じ大きさであり、円周の半周以下の長さを切り残して円形の切り残し部６０が設けられている。切込線５８は、開封線５０の仮想線上に円の中心が位置するように並べられている。切り残し部６０は、互いに隣接する切込線５８間に一定の間隔を空けて位置し、切込線５８同士が近接する位置から僅かに離れて設けられている。
【００１９】
なお、この実施形態では、側面１６には１０個の切込線５８が設けられている。折罫線２４に最も近い１個の切込線５８は、切断線５６がわずかな間隔をあけて連続されている。折罫線２６に最も近い１個の切込線５８には、略直線の切断線６２がわずかな間隔をあけて連続して設けられ、切断線６２は、折罫線２６に対して直角に交差して通過し、側面１８に達している。
【００２０】
開封線５０は、側面１８内では、切込線５８が５個並べられて設けられている。切込線５８同士の間隔と切り残し部６０が形成される向きは、側面１６と同じである。側面１８内の切込線５８の折罫線２６に最も近い１個には、わずかな間隔をあけて切断線６２が連続されている。側面１８内の切込線５８の折罫線２８に最も近い１個には、略直線の切断線６４がわずかな間隔をあけて連続して設けられ、切断線６４は、折罫線２８に対して直角に交差して通過し、側面２０に達している。
【００２１】
開封線５０は、側面２０内では、切込線５８が１０個並べられて設けられている。切込線５８同士の間隔と切り残し部６０が形成される向きは、側面１６と同じである。側面２０内の切込線５８の折罫線２８に最も近い１個には、わずかな間隔をあけて切断線６４が連続されている。側面２０内の切込線５８の折罫線３０に最も近い１個には、略直線の切断線６６がわずかな間隔をあけて連続して設けられ、切断線６６は、切込線５８から離れるに従い切り残し部６０が突出した方向と反対側に延びるように傾斜し、折罫線３０に対して鋭角に交差して通過し、糊付片２２に達している。
【００２２】
糊付片２２は、切断線６６に連続するジッパー線６８が設けられている。ジッパー線６８は、開封線５０の延長線に対して平行であり、開封線５０の延長線よりも各切込線５８の切り残し部６０が突出した方向と反対側に平行移動して設けられ、糊付片２２の側縁部２２ａに達している。
【００２３】
開封線５０に対して平行に設けられた他方の開封線４８は、開封線５０と、各側面の連通方向の端部との間のほぼ中心に設けられ、開封線５０の各切込線５８の切り残し部６０が設けられた側の反対側に設けられている。開封線４８は、側面１４内では開封線５０と同様に、側縁部１４ａと交差する部分にスリット５２が設けられ、スリット５２と折罫線２４までの間には、開封用透孔５４が３個並べられて互いに離間して設けられている。折罫線２４に最も近い開封用透孔５４には、切断線５６がわずかな間隔をあけて連続して設けられている。
【００２４】
開封線４８は、側面１６内では開封線５０と同様に、切込線５８が１０個並べられて設けられている。ただし、切り残し部６０は、開封線５０の切り残し部６０と反対方向に向いて対称に設けられている。折罫線２４に最も近い１個の切込線５８には切断線５６がわずかな間隔をあけて連続して設けられ、折罫線２６に最も近い１個の切込線５８には切断線６２がわずかな間隔をあけて連続して設けられている。
【００２５】
開封線４８は、側面１８内では開封線５０と同様に、切込線５８が５個並べられて設けられている。ただし、切り残し部６０は、開封線５０と反対側に設けられている。折罫線２６に最も近い１個の切込線５８には切断線６２がわずかな間隔をあけて連続して設けられ、折罫線２８に最も近い１個の切込線５８には切断線６４がわずかな間隔をあけて連続して設けられている。
【００２６】
開封線４８は、側面２０内では開封線５０と同様に、切込線５８が１０個並べられて設けられている。ただし、切り残し部６０は、開封線５０の切り残し部６０と反対方向に向いて対称に設けられている。折罫線２８に最も近い１個の切込線５８には切断線６４がわずかな間隔をあけて連続して設けられ、折罫線３０に最も近い１個の切込線５８には略直線の切断線７０がわずかな間隔をあけて連続して設けられている。切断線７０は、切込線５８から離れるに従い切り残し部６０の突出方向と反対側に延びるように傾斜し、つまり開封線５０の切断線６６とは互いに離れる方向に延出し、折罫線３０に対して鋭角に交差して通過し、糊付片２２の、折罫線３０を少し超えた位置に達して、わずかに開封線４８に対して平行となるように折り曲げられ、折罫線３０の近傍で止まっている。
【００２７】
開封線４８，５０の間の部分は、開封するときに箱体から切り取られる切除部７１となる。切除部７１の、側面１４側縁部１４ａに連通する部分は、切除部７１を取り外す時に保持して開封を始める端部７１ａとなる。切除部７１は、折罫線３０が途切れた部分があり、この途切れた部分の両脇に、折罫線３０に対して平行な一対の短い折罫線７２が設けられ、折罫線３０の稜線上に面取り部を形成している。
【００２８】
箱体形成片１２の表面には、収容物についての説明や模様などが印刷されている。糊付片２２の表面には、側面１４と異なる色や異なる絵柄で設けられた印刷部７４が印刷されている。印刷部７４は、インクを印刷する他、凹凸の表面加工を施す等いろいろな手段で表示や装飾が設けられるものである。
【００２９】
次に、この実施形態の包装用箱１０の組立方法の一例について説明する。ここでは、図３が箱体形成片１２の表面を見たものであり、箱体形成片１２の表面が凸になる折り方を正折り、そして裏面が凸になる折り方を逆折りと称する。
【００３０】
まず、糊付片２２の表面に糊７６を塗布する。糊７６は、糊付片２２の折罫線３０と側縁部２２ａに沿う一対の直線状に塗布し、ジッパー線６８と、切断線７０の延長線で囲まれた部分は避けて塗布されない。次に、折罫線２８を正折りし、折罫線２４を正折する。これにより、糊付片２２の表面は側面１４の裏面に糊付けされる。箱体形成片１２は折り畳み状態となり、この折り畳んだ状態で出荷される。
【００３１】
この後、収容物を収容し包装する工場等において、折罫線２４，２６，２８，３０を各々９０°に正折りして四角形の箱体にする。側面１４，１６，１８，２０で組み立てられた筒体の、一方の開口部で、フラップ３２，４０を折罫線３４，４２で正折し、次に折罫線４６で内蓋片４４を正折りする。そして外蓋片３６の裏面に糊７８を塗布する。糊７８は、外蓋片３６の、折罫線３８と反対側の端部に沿って直線状に塗布する。折罫線３８で外蓋片３６を９０°に正折りし、これにより外蓋片３６の裏面は内蓋片４４の表面に糊付けされ、包装用箱１０の一方の開口部が閉鎖される。この状態で収容物を他方の開口部から箱体の中に入れ、同様にフラップ３２，４０を折罫線３４，４２で正折し、折罫線４６で内蓋片４４を正折りする。そして外蓋片３６の裏面に糊７８を塗布し、折罫線３８で外蓋片３６を９０°に正折りし、包装用箱１０の他方の開口部を閉鎖する。これにより、図１に示すように包装が完了する。
【００３２】
側面１４の裏面側には糊付片２２が位置し、スリット５２と開封用透孔５４から糊付片２２が露出し、包装用箱１０の内側空間に連通することなく、確実に包装される。また、糊付片２２には、側面１４と異なる印刷部７４が設けられ、スリット５２と開封用透孔５４の位置と形状が視覚的にわかり易く、切除部７１の端部７１ａが容易に確認される。スリット５２と開封用透孔５４は、側面１４の表面と段差があるため、手で触れると触感でも位置と形状がわかる。
【００３３】
また、側面１６，１８，２０の開封線５０，４８に形成された切込線５８は、円形が連続した印象の強い形状であり、視覚的にわかり易い。切込線５８は手で触れると切込線５８で囲まれた部分が箱体内に押し込まれて段差ができ、この段差の連続を手で触れて、切除部７１の位置と形状、長さが触感でわかり易い。側面２０と糊付片２２の間の折罫線３０は、途中で途切れてその両脇に一対の折罫線７２が設けられた部分があり、この部分は一対の折罫線７２が鈍角に折り曲げられて折罫線３０で形成される稜線が面取りされた形状となり、面取りされた部分に切除部７１の端部７１ａが位置し、端部７１ａは糊付片２２との間に空間が生じて保持しやすくなる。
【００３４】
包装用箱１０から収容物を取り出す時は、先ず切除部７１を取り外すために保持する端部７１ａを探す。スリット５２と開封用透孔５４は、視覚的にも触覚的にもわかり易いため、視力が低下した人にも端部７１ａの位置と形状が確認される。そして、端部７１ａを保持して引き上げると、一対のスリット５２の間は簡単に引き起こされ、さらに引き上げると開封用透孔５４同士の間が切断され、側面１４を分割する。切断線５６により折罫線２４で折り曲げられた稜線を越えて側面１６に達し、さらに側面１６に対して引き上げ、切込線５８同士の間の部分が切断されて、切込線５８が連続するように切断されて側面１６を分割する。この時、側面１６には切込線５８で切除部７１が取り外された側縁部に円形の切り残し部６０による凸部８０が連続して形成される。さらに切除部７１を側面１８に対して引き上げて分割し、側面２０も同様に分割する。開封用透孔５４同士の間や、切込線５８同士の間が切断されるたびに音が発生し、切断したことが聴覚により確認される。包装用箱１０は、２分割されたパーツが糊付片２２でつながる状態となり、開封され中から収容物を取り出す。さらに、糊付片２２のジッパー線６８を切断して、図２に示す分離状態にして収容物を取り出してもよい。
【００３５】
この実施形態の包装用箱１０によれば、簡単な構造で視覚と触覚により切除部７１の位置と形状がわかり易く、開封するときに比較的音が発生して聴覚でも開封を確認することができる。これにより、視力が低下した人にも簡単に開封することができる。また、スリット５２と開封用透孔５４から、側面１４とは異なる印刷部７４が見えて目立つため、切除部７１の端部７１ａがよりわかり易く、また消費者に強い印象を与えることができる。開封用透孔５４と切込線５８は丸みを帯びた形状であり、装飾性が高いものである。開封用透孔５４は、切除部７１の端部７１ａに近いほうが大きく形成されているため、端部７１ａから切断しやすくなっている。切除部７１は端部７１ａが糊付片２２との間に空間があって保持しやすく、またスリット５２で挟まれているため引き上げの開始がやり易く、手が不自由な人にも開封しやすいものである。開封線４８，５０は、側面同士の間の角部では、角部の稜線である折罫線２４，２６，２８，３０に交差する部分が切断線５６，６２，６４，７０で設けられているため、円滑に稜線を超えて切断することができる。開封するときに開封用透孔５４同士の間や、切込線５８同士の間が切断されるたびに音が発生するため、視力が低下した人にも、聴覚で開封を確認することができる。
【００３６】
さらに、この実施形態の包装用箱１０は、開封した後、切除部７１が取り外された側縁部に円形の凸部８０が連続して形成され、装飾性を持たせることができる。また凸部８０は曲線であるため、手で触ってもけがをする恐れがなく安全である。箱体形成片１２を破断した部分は不規則な小さい突起が形成されるが、この実施形態の箱体形成片を切断した部分は、一対の凸部８０の間の谷部に位置するため、手で触れることがなく、安全である。糊付片２２のジッパー線６８を切断した後には不揃いな小さい突起が形成されるが、側面１４の裏面に位置するため、手で触れることがなく安全である。切込線５８同士は開封線４８，５０に対して平行な直径方向の間隔が、一番距離が短いため、箱体形成片１２は直径方向に切断され、側方にそれずにきれいに切断することができる。
【００３７】
なお、この発明の包装用箱は、上記実施の形態に限定されるものではなく、箱体の大きさや形状は収容物の形状や数に合わせて適宜変更可能であり、各開封線の位置や、各開封線に設けられる開封用透孔と切込線の数は箱体に合わせて適宜変更可能である。開封線は側面以外に上面等に設けられてもよく、１個の側面のみに設けられてもよい。箱体以外に封筒形などいろいろな包装体に利用することができる。切込線の形状は上記実施の形態以外でもよく、大きさが異なるものが設けられてもよく、確実に切断するものであれば良い。糊付片の印刷部は自由にデザインすることができ、無地でも絵柄が設けられてもよい。
【符号の説明】
【００３８】
１０  包装用箱
１２  箱体形成片
１４，１６，１８，２０  側面
２２  糊付片
２４，２６，２８，３０  折罫線
４８，５０  開封線
５２  スリット
５４  開封用透孔
５６，６２，６４，６６，７０  切断線
５８  切込線
６０  切り残し部
７４  印刷部
８０  凸部
【図１】
0006456053.tif 000002
【図２】
0006456053.tif 000003
【図３】
0006456053.tif 000004